【手続補正書】
【提出日】平成20年7月9日(2008.7.9)
【手続補正１】
【補正対象書類名】明細書
【補正対象項目名】発明の名称
【補正方法】変更
【補正の内容】
【発明の名称】情報設定システム、情報設定方法およびデータ設定装置
【手続補正２】
【補正対象書類名】明細書
【補正対象項目名】特許請求の範囲
【補正方法】変更
【補正の内容】
【特許請求の範囲】
【請求項１】  第１の機器に、第２の機器を使って情報を設定する情報設定システムであって、
前記第１の機器の機器固有情報を前記第２の機器に送信する第１の送信手段と、
前記第１の機器から受信した前記機器固有情報、および前記第１の機器を使用するユーザの使用状況を基に、前記第２の機器に保存された前記第１の機器に応じた設定データから１つを選択する選択手段と、
該選択された設定データを前記第２の機器から前記第１の機器に送信する第２の送信手段と、
前記第２の機器から受信した前記設定データを基に、前記第１の機器に情報を設定する設定手段とを備えたことを特徴とする情報設定システム。
【請求項２】  前記第１の機器は、前記第２の機器を所持するユーザの識別情報を取得する取得手段を備え、前記第１の送信手段により前記取得した識別情報を前記機器固有情報とともに前記第２の機器に送信し、
前記第２の機器は、前記第１の機器から受信した前記識別情報を基に、個人を認証する認証手段を備え、前記個人が認証された場合、前記選択手段により前記機器固有情報、および前記第１の機器を使用するユーザの使用状況を基に、前記第１の機器に応じた設定データから１つを選択することを特徴とする請求項１記載の情報設定システム。
【請求項３】  前記第１の機器は、前記第２の機器に設定データを登録する場合、前記機器固有情報および前記設定データを前記第２の機器に送信する第３の送信手段とを備え、
前記第２の機器は、前記機器固有情報および前記設定データを受信する受信手段と、該受信した前記機器固有情報および前記設定データを保存する保存手段とを備えたことを特徴とする請求項１記載の情報設定システム。
【請求項４】  前記ユーザの使用状況データを取得する使用状況取得手段は、前記第１の機器に設けられ、取得した使用状況データを前記第２の機器に送信する第４の送信手段を備えたことを特徴とする請求項１記載の情報設定システム。
【請求項５】 前記第１の機器はデジタルカメラであって、前記設定データは、シャッタスピード、オートフォーカスのＯＮ／ＯＦＦ、および感度を含むことを特徴とする請求項１記載の情報設定システム。
【請求項６】  前記使用状況データは、使用時間情報データもしくは使用場所情報データであることを特徴とする請求項１記載の情報設定システム。
【請求項７】  前記使用状況データは、前記第１もしくは第２の機器に設けられたセンサから取得したセンサ情報データであることを特徴とする請求項１記載の情報設定システム。
【請求項８】  前記センサは、撮影対象までの距離を測定するセンサであることを特徴とする請求項７記載の情報設定システム。
【請求項９】  前記センサは、明るさを測定するセンサであることを特徴とする請求項７記載の情報設定システム。
【請求項１０】  第１の機器に、第２の機器を使って情報を設定する情報設定方法であって、
前記第１の機器の機器固有情報を前記第２の機器に送信する工程と、
前記第１の機器から受信した前記機器固有情報を基に、前記第２の機器に保存された前記第１の機器に応じた設定データを検索する工程と、
ユーザの使用状況データを取得する使用状況取得工程と、
該使用状況データを参照し、前記検索された複数の設定データから１つを選択する工程と、
該選択された設定データを前記第２の機器から前記第１の機器に送信する工程と、
前記第２の機器から受信した前記設定データを基に、前記第１の機器に情報を設定する工程とを有することを特徴とする情報設定方法。
【請求項１１】  電子機器に情報を設定するデータ設定装置において、
前記電子機器の機器固有情報、および前記電子機器を使用するユーザの使用状況に応じて、設定データを選択する選択手段と、
該選択された設定データを前記電子機器に送信する送信手段とを備えたことを特徴とするデータ設定装置。
【請求項１２】  設定データを送信して電子機器に情報を設定するデータ設定装置において、
前記電子機器から受信した機器固有情報を基に、前記電子機器に応じた設定データを検索する検索手段と、
該検索された複数の設定データから１つを選択する選択手段と、
該選択された設定データおよび前記機器固有情報を前記電子機器に送信する送信手段とを備えたことを特徴とするデータ設定装置。
【手続補正３】
【補正対象書類名】明細書
【補正対象項目名】０００１
【補正方法】変更
【補正の内容】
【０００１】
【発明の属する技術分野】
本発明は、対象となる電子機器に対し、設定データを自動的に再設定する機能を有する情報設定システム、情報設定方法およびデータ設定装置に関する。
【手続補正４】
【補正対象書類名】明細書
【補正対象項目名】００１６
【補正方法】変更
【補正の内容】
【００１６】
そこで、本発明は、操作性を損なうことなく、ユーザの使用状況に応じて自動的に最適な設定を行うことができる情報設定システム、情報設定方法およびデータ設定装置を提供することを目的とする。
【手続補正５】
【補正対象書類名】明細書
【補正対象項目名】００１７
【補正方法】変更
【補正の内容】
【００１７】
【課題を解決するための手段】
上記目的を達成するために、本発明の情報設定システムは、第１の機器に、第２の機器を使って情報を設定する情報設定システムであって、前記第１の機器の機器固有情報を前記第２の機器に送信する第１の送信手段と、前記第１の機器から受信した前記機器固有情報、および前記第１の機器を使用するユーザの使用状況を基に、前記第２の機器に保存された前記第１の機器に応じた設定データから１つを選択する選択手段と、該選択された設定データを前記第２の機器から前記第１の機器に送信する第２の送信手段と、前記第２の機器から受信した前記設定データを基に、前記第１の機器に情報を設定する設定手段とを備えたことを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２２
【補正方法】変更
【補正の内容】
【００２２】
【発明の実施の形態】
本発明の情報設定システム、情報設定方法およびデータ設定装置の実施の形態を図面を参照しながら説明する。本実施形態では、情報が設定される側の機器（電子機器）を「対象機器」、ユーザによって携帯され、様々な対象機器の設定データを保存しかつ設定する側の機器（データ設定装置）を「ユーザ設定データ記録機器」と称することにする。
【手続補正８】
【補正対象書類名】明細書
【補正対象項目名】００４４
【補正方法】変更
【補正の内容】
【００４４】
ステップＳ１０５における検索の結果、ユーザ設定データ記録機器２内に同一の機器ＩＤデータが存在するか否かを判別する（ステップＳ１０６）。ユーザ設定データ記録機器２内に同一の機器ＩＤデータがない場合、受信したデータに機器設定データがあるか否かを判別する（ステップＳ１０７）。機器設定データがない場合、何も送信せず、ステップＳ１０１の処理に戻る。
【手続補正９】
【補正対象書類名】明細書
【補正対象項目名】０１０２
【補正方法】変更
【補正の内容】
【０１０２】
またさらに、対象機器およびユーザ設定データ記録機器に、データを送信する前に暗号化することも可能である。その場合、各機器に、データを暗号化する機能が必要である。暗号化は、ＣＰＵ１０１、２０１が行ってもよいし、暗号化を専門に行うチップを用意してもよい。同時に、暗号化を行う場合、対象機器およびユーザ設定データ記録機器のいずれも、暗号化されたデータを受信し、それを元のデータに戻す解読機能を有する必要がある。元のデータに戻す解読作業は、ＣＰＵ１０１、２０１が行ってもよいし、暗号を解読する作業を専門に行うチップを用意してもよい。また、本発明では、その暗号化方式は特に規定されない。